(57)【要約】【課題】重水素（Ｄ2）を用いて、体内の活性酸素等を還元させて健康を維持し、摂取した医薬の効能を持続させることの可能な飲料水を提供する。【解決手段】  天然水から濃縮、分離して得た重水素成分を、重水（Ｄ2Ｏ）及び重水素硫酸（Ｄ2ＳＯ4）として含有し、重水（Ｄ2Ｏ）を０体積％〜０．４体積％含有し、重水素硫酸（Ｄ2ＳＯ4）を０体積％〜０．４体積％含有し、これら化合物全体で天然水に０．０００１体積％〜０．４体積％含有した。【選択図】なし【特許請求の範囲】
【請求項１】
天然水から濃縮、分離して得た重水素成分を、天然水に０．０００１体積％〜０．４体積％添加する飲料水の製造方法。
【請求項２】
前記重水素成分は、重水（Ｄ2Ｏ）及び重水素硫酸（Ｄ2ＳＯ4）として含有し、
天然水に対して、前記重水（Ｄ2Ｏ）を０体積％〜０．４体積％添加すると共に、
前記重水素硫酸（Ｄ2ＳＯ4）を０体積％〜０．４体積％添加して、
これら化合物全体で０．０００１体積％〜０．４体積％添加させる請求項１に記載の飲料水の製造方法。
【請求項３】
前記重水素成分は、重水素硫酸（Ｄ2ＳＯ4）として含有し、
天然水に対して、前記重水素硫酸（Ｄ2ＳＯ4）を０．０００１体積％〜０．４体積％添加させる請求項１に記載の飲料水の製造方法。
【請求項４】
前記重水素成分は、重水（Ｄ2Ｏ）として含有し、
天然水に対して、前記重水（Ｄ2Ｏ）を０．０００１体積％〜０．４体積％添加させる請求項１に記載の飲料水の製造方法。
【発明の詳細な説明】
【技術分野】
【０００１】
本発明は、飲料水の製造方法に関する。
【背景技術】
【０００２】
従来、水素イオンを導入した飲料水として、例えば特許文献１に記載の如きものが知られている。この飲料水は、イオン交換樹脂を用いて水道水に水素イオンを導入するものであるが、所謂軽水と呼ばれる通常の水素（Ｈ2）を用いたものに過ぎず、重水素（Ｄ2）に関して何ら開示されていない（例えば、特許文献１参照）。
【先行技術文献】
【特許文献】
【０００３】
【特許文献１】特開２００４−４１８５４号公報
【発明の概要】
【発明が解決しようとする課題】
【０００４】
かかる従来の実情に鑑みて、本発明は、重水素（Ｄ2）を用いて、体内の活性酸素等を還元させて健康を維持し、摂取した医薬の効能を持続させることの可能な飲料水を提供することを目的とする。
【課題を解決するための手段】
【０００５】
本発明の第１の特徴構成は、天然水から濃縮、分離して得た重水素成分を、天然水に０．０００１体積％〜０．４体積％添加するところにある。
【０００６】
本発明の第２の特徴構成は、前記重水素成分は、重水（Ｄ2Ｏ）及び重水素硫酸（Ｄ2ＳＯ4）として含有し、天然水に対して、前記重水（Ｄ2Ｏ）を０体積％〜０．４体積％添加すると共に、前記重水素硫酸（Ｄ2ＳＯ4）を０体積％〜０．４体積％添加して、これら化合物全体で０．０００１体積％〜０．４体積％添加させるところにある。
【０００７】
本発明の第３の特徴構成は、前記重水素成分は、重水素硫酸（Ｄ2ＳＯ4）として含有し、天然水に対して、前記重水素硫酸（Ｄ2ＳＯ4）を０．０００１体積％〜０．４体積％添加させるところにある。
【０００８】
本発明の第４の特徴構成は、前記重水素成分は、重水（Ｄ2Ｏ）として含有し、天然水に対して、前記重水（Ｄ2Ｏ）を０．０００１体積％〜０．４体積％添加させるところにある。
【０００９】
上記特徴構成によれば、一般的に自然界に存在している天然水には、約０．０１５体積％の重水素成分が含まれると言われているが、天然水から濃縮、分離して得た重水素成分を、天然水に０．０００１体積％〜０．４体積％添加した飲料水を、生体内に摂取することにより、生体内の酸化ストレス度が低下したり、抗酸化力が向上する。
つまり、生体内で生成される活性酸素やフリーラジカルによる酸化活動に対して、生体内の抗酸化力により打ち消されて健康が維持されるのであるが、活性酸素やフリーラジカルが過剰生成されると、酸化活動と抗酸化活動のバランスが崩れる所謂酸化ストレスが上がり、病気になりやすいと言われている。
【００１０】
そこで、天然水から濃縮、分離して得た重水素成分を、わずかでも天然水に０．０００１体積％〜０．４体積％添加した飲料水を、生体内に摂取させることで、天然水だけを摂取するのに比べて、生体内の活性酸素やフリーラジカルが重水素成分により還元されて打ち消されるものと考えられ、健康が維持される。
さらに、重水素（Ｄ2）は、通常の水素（Ｈ2）と化学的性質は基本的に同等であるが、質量が２倍程度あり、やや反応速度が遅くなる「重水素効果」を有する。例えば医薬を服用している患者であれば、この重水素効果によって、代謝反応の速度が低下するので、代謝を防止して体内での医薬の効能を持続させることができ、医薬の投与量を減らすことが可能となる。
【００１１】
すなわち、医薬は体内に取り入れられると代謝を受け、不活性な化合物や体外に排泄されやすい形に変換されて効果を失うことが多い。そこで、代謝を受ける位置に水素原子をハロゲンやメチル基等に置き換え、代謝を防ぐ手法が良く用いられてきた。しかし、こうした変換により、肝心の生理活性や水溶性が落ちてしまうケースも少なくない。
そこで、代謝を受ける水素原子を、重水素に置き換えることで、重水素は分子全体の性質にほとんど影響を与えず、代謝反応の速度だけを低下させることができる。
【００１２】
従って、代謝を防いで、体内での持続時間を改善することができる。
なお、重水素成分が０．０００１体積％より少なければあまり効果がなく、０．４体積％よりも多ければ、重水素成分による良好な効果があまり向上せず、過剰になると人体に悪影響を与える場合がある。
【００１３】
また、上記特徴構成によれば、重水素成分として使用する重水（Ｄ2Ｏ）は、一般的に天然の水中に存在し、その天然水の電気分解等により水中に含まれる重水が濃縮されて高濃度の重水が得られる。そのために、天然水に任意の添加量の重水素成分を、容易に供給できる。また、発明者の試験によれば、重水素成分を添加することで、水分子間の酸素原子間距離が小さくなることが分かった。すなわち、重水素成分によって水分子の集まり（クラスター）が小さくなるので、体内でより細部まで行き渡り、効率よく浸透させることができるものと考えられる。
【発明の効果】
【００１４】
上記本発明に係る飲料水の特徴によれば、天然水から濃縮、分離して得た重水素成分を用いて、体内の活性酸素等を還元させて健康を維持し、摂取した医薬の効能を持続させることが可能となった。
本発明の他の目的、構成及び効果については、以下の発明の実施の形態の項から明らかになるであろう。
【図面の簡単な説明】
【００１５】
【図１】実験前の食道内の画像である。
【図２】実験後の食道内の画像である。
【発明を実施するための形態】
【００１６】
次に、適宜添付図面を参照しながら、本発明の実施形態について説明する。
〔第１実施形態〕
本発明の第１実施形態に係る飲料水は、天然水から濃縮、分離して得た重水素成分として重水（Ｄ2Ｏ）及び重水素硫酸（Ｄ2ＳＯ4）を含有したものである。
重水（Ｄ2Ｏ）は、０体積％〜０．４体積％含有し、重水素硫酸（Ｄ2ＳＯ4）を０体積％〜０．４体積％含有し、これら化合物全体で０．０００１体積％〜０．４体積％を、天然水に添加して含有させたものである。
【００１７】
〔第２実施形態〕
次に、第２の実施形態に係る飲料水について説明する。
本実施形態に係る飲料水は、天然水から濃縮、分離して得た重水素成分として重水素硫酸（Ｄ2ＳＯ4）を、天然水に０．０００１体積％〜０．４体積％含有した飲料水である。
【００１８】
〔第３実施形態〕
次に、第３の実施形態に係る飲料水について説明する。
本実施形態に係る飲料水は、天然水から濃縮、分離して得た重水素成分として重水（Ｄ2Ｏ）を、天然水に０．０００１体積％〜０．４体積％含有した飲料水である。
【００１９】
ここで、第１実施形態の飲料水を用いて本発明に係る飲料水の効果を確認するための実験例を複数の実験対象者（Ａ〜Ｆ）について行った。
尚、実験対象者（Ａ〜Ｆ）の測定値には個人差があり、また、実験時の体調などによっても異なるが、経過を確認することで、本発明に係る飲料水の効果を確認するものである。
【００２０】
［実験例１］（実験対象者Ａ）
本実験例では、
１）  実験対象者Ａの持つ疾患は、「多発性骨髄腫」である。
２）  実験条件として、服薬時に水道水のみを５００ｃｃ/日、飲用した比較例に対し、本発明の飲料水を５００ｃｃ/日、飲用した実験例を比較した。
３）  実験結果：（検査項目としてＣＲＴＮ（クレアチニン）の数値を示す。）
比較例（２００８年９月１日測定）は、６．６４ｍｇ/ｄｌ（正常範囲は０．４〜０．８ｍｇ/ｄｌ）であったのに対し、実験例（２００９年１月１４日測定）は、０．５８ｍｇ/ｄｌ（正常値は０．４〜０．８ｍｇ/ｄｌ）であり、正常値になっていることが分かる。
【００２１】
[実験例２]（実験対象者Ｂ）
本実験例では、
１）  実験対象者Ｂの持つ疾患は、「肺線癌」である。
２）  実験条件として、服薬時に水道水のみを５００ｃｃ/日、飲用した比較例に対し、本発明の飲用水を５００ｃｃ/日、飲用した実験例を比較した。
３）  実験結果：（比較する検査項目としてＡＭＹ（アミラーゼ）とＬＹ(リンパ球)％の数値を示す。）
比較例（平成２３年１２月１２日測定）は、ＡＭＹが３０６ｕ／ｌ（正常値は３７〜１２５），ＬＹ％が７０．３（正常値１８〜５９）であるのに対し、実験例（平成２４年２月８日測定）は、ＡＭＹが１４５ｕ／ｌ（正常値は３７〜１２５）、ＬＹ％が４１．４（正常値１８〜５９）で、ほぼ正常値になっていることが分かる。
【００２２】
[実験例３]（実験対象者Ｃ）
本実験例では、
１）  実験対象者Ｃの持つ疾患は、「肺癌」である。
２）  実験条件１として、服薬時に水道水のみを５００ｃｃ/日、飲用した比較例に対し、本発明の飲用水を５００ｃｃ/日、飲用した実験例を比較した。
３）  実験結果：（比較する検査項目としてＬＤ（乳酸脱水素酵素）（ｕ／ｌ）の数値を示す。）
比較例（２０１１年１２月１４日測定）は、ＬＤが３８７ｕ／ｌ（正常値１１９〜２２９ｕ／８）であるのに対し、実験例１（２０１２年１月２６日測定）は、ＬＤが２８２ｕ／ｌ（正常値１１９〜２２９ｕ／８）で、実験例２（２０１２年２月８日測定）は、ＬＤが２４６ｕ／ｌ（正常値１１９〜２２９ｕ／８）で、ほぼ正常値に近くなっている。
４）  実験条件２として、一般のミネラル水を８０ｃｃ×３回/日、２日間飲用した比較例に対し、本発明の飲用水を、８０ｃｃ×３回/日、２日間飲用した実験例とにおいて、排尿量を比較した。
５）  実験結果：（比較する排尿量は、ｃｃ/３回採取/日の数値を示す。）
比較例は、９０ｃｃ３回採取/日であるのに対し、実験例は、１２０ｃｃ/３回採取/日であり、排尿量が増加していることが明確である。
【００２３】
[実験例４]（実験対象者Ｄ）
本実験例では、
１）  実験対象者の持つ疾患は、「進行型食道癌」、「食道裂孔ヘルニア」、「胃潰瘍」である。
２）  医者の診断報告（実験前）→食道性状：門歯より３７〜４０ｃｍにかけて６時方向に１／３周性の隆起性病変あり。表面の粘膜は粗造でｓｃｏｐｅの接触により容易に出血を認めた。ＧＩＦ-Ｈ２６０で通過は可能であった。ヨード染色では病変と平坦面１時方向まで不染領域を認めた。→質的診断：進行型食道癌。
胃性状：胃前庭部にびらんが散在している。→質的診断：慢性胃炎（びらん性胃炎）。
３）  実験条件１として、服薬時に水道水のみを５００ｃｃ/日、飲用した比較例に対し、本発明の飲用水を５００ｃｃ/日、飲用した実験例を比較した。
４）  実験結果：（食道内の内視鏡画像により比較した。）
比較例の画像１（図１）は、内面の凹凸が大きい。
実験例の画像２（図２）は、内面が滑らかな面に回復していることが明確である。
５）  医者の診断報告（実験後）→食道性状：門歯より３４ｃｍ８時方向にＣＲＴ後瘢痕を認める。通常及びＮＢＩ観察では腫瘍はほぼ消失していた。→質的診断：食道瘢痕。
胃性状：穹隆部に発赤の散在を認める。→質的診断：慢性胃炎（表面性胃炎）。
【００２４】
[実験例５]（実験対象者Ｅ）
本実験例では、
１）  実験対象者Ｅの持つ疾患は、「肺癌」である。
２）  実験条件１として、服薬時に水道水のみを５００ｃｃ/日、飲用した比較例に対し、本発明の飲用水を５００ｃｃ/日、飲用した実験例を比較した。
３）  実験結果：（検査項目としてＣＲＰ（Ｃ反応性蛋白）ｍｇ/ｄＬの数値を示す。）
比較例（２０１２．９月１２日測定）は、ＣＲＰが５（正常値は０．００〜０．３０）であるのに対して、本実験例（２０１２．１０月１２日測定）は、ＣＲＰが１．０３（正常値は０．００〜０．３０）で、正常値に近づきつつある。
【００２５】
［実験例６］(実験対象者Ｆ)
本実験では、
１）  実験対象者Ｆの持つ疾患は、「糖尿」である。
２）  実験条件として、服薬時に水道水のみを５００ｃｃ/日、飲用した比較例に対し、本発明の飲用水を５００ｃｃ/日、飲用した実験例を比較した。
３）  実験結果：（検査項目としてＨｂＡＩｃ  ＮＧＳＰ（糖化ヘモグロビン）の数値を示す。）
比較例（２０１２．９月１２日測定）は、９％であるのに対し、実験例１（２０１３．７月１８日測定）は、６．９％（正常値４６〜６．２％）で、実験例２（２０１４．１月１６日測定）は、７％（正常値４６〜６．２％）で減少傾向にある。
【図１】
2019135048.tif 000002
【図２】
2019135048.tif 000003
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
天然水から濃縮、分離して得た重水素成分を、天然水に０．０００１体積％〜０．４体積％（０．０００１体積％及び０．０１体積％以上を除く）添加する飲料水の製造方法。
【請求項２】
前記重水素成分は、重水（Ｄ2Ｏ）及び重水素硫酸（Ｄ2ＳＯ4）として含有し、
天然水に対して、前記重水（Ｄ2Ｏ）と前記重水素硫酸（Ｄ2ＳＯ4）とを添加して、
これら化合物全体で０．０００１体積％〜０．４体積％（０．０００１体積％及び０.０１体積％以上を除く）添加させる請求項１に記載の飲料水の製造方法。
【請求項３】
前記重水素成分は、重水素硫酸（Ｄ2ＳＯ4）として含有し、
天然水に対して、前記重水素硫酸（Ｄ2ＳＯ4）を０．０００１体積％〜０．４体積％（０．０００１体積％及び０.０１体積％以上を除く）添加させる請求項１に記載の飲料水の製造方法。
【請求項４】
前記重水素成分は、重水（Ｄ2Ｏ）として含有し、
天然水に対して、前記重水（Ｄ2Ｏ）を０．０００１体積％〜０．４体積％（０．０００１体積％及び０.０１体積％以上を除く）添加させる請求項１に記載の飲料水の製造方法。
【手続補正２】
【補正対象書類名】明細書
【補正対象項目名】全文
【補正方法】変更
【補正の内容】
【発明の詳細な説明】
【技術分野】
【０００１】
本発明は、飲料水の製造方法に関する。
【背景技術】
【０００２】
従来、水素イオンを導入した飲料水として、例えば特許文献１に記載の如きものが知られている。この飲料水は、イオン交換樹脂を用いて水道水に水素イオンを導入するものであるが、所謂軽水と呼ばれる通常の水素（Ｈ2）を用いたものに過ぎず、重水素（Ｄ2）に関して何ら開示されていない（例えば、特許文献１参照）。
【先行技術文献】
【特許文献】
【０００３】
【特許文献１】特開２００４−４１８５４号公報
【発明の概要】
【発明が解決しようとする課題】
【０００４】
かかる従来の実情に鑑みて、本発明は、重水素（Ｄ2）を用いて、体内の活性酸素等を還元させて健康を維持し、摂取した医薬の効能を持続させることの可能な飲料水を提供することを目的とする。
【課題を解決するための手段】
【０００５】
本発明の第１の特徴構成は、天然水から濃縮、分離して得た重水素成分を、天然水に０．０００１体積％〜０．４体積％（０．０００１体積％及び０.０１体積％以上を除く）添加するところにある。
【０００６】
本発明の第２の特徴構成は、前記重水素成分は、重水（Ｄ2Ｏ）及び重水素硫酸（Ｄ2ＳＯ4）として含有し、天然水に対して、前記重水（Ｄ2Ｏ）と前記重水素硫酸（Ｄ2ＳＯ4）とを添加して、これら化合物全体で０．０００１体積％〜０．４体積％（０．０００１体積％及び０.０１体積％以上を除く）添加させるところにある。
【０００７】
本発明の第３の特徴構成は、前記重水素成分は、重水素硫酸（Ｄ2ＳＯ4）として含有し、天然水に対して、前記重水素硫酸（Ｄ2ＳＯ4）を０．０００１体積％〜０．４体積％（０．０００１体積％及び０.０１体積％以上を除く）添加させるところにある。
【０００８】
本発明の第４の特徴構成は、前記重水素成分は、重水（Ｄ2Ｏ）として含有し、天然水に対して、前記重水（Ｄ2Ｏ）を０．０００１体積％〜０．４体積％（０．０００１体積％及び０.０１体積％以上を除く）添加させるところにある。
【０００９】
上記特徴構成によれば、一般的に自然界に存在している天然水には、約０．０１５体積％の重水素成分が含まれると言われているが、天然水から濃縮、分離して得た重水素成分を、天然水に０．０００１体積％〜０．４体積％（０．０００１体積％及び０.０１体積％以上を除く）添加した飲料水を、生体内に摂取することにより、生体内の酸化ストレス度が低下したり、抗酸化力が向上する。
つまり、生体内で生成される活性酸素やフリーラジカルによる酸化活動に対して、生体内の抗酸化力により打ち消されて健康が維持されるのであるが、活性酸素やフリーラジカルが過剰生成されると、酸化活動と抗酸化活動のバランスが崩れる所謂酸化ストレスが上がり、病気になりやすいと言われている。
【００１０】
そこで、天然水から濃縮、分離して得た重水素成分を、わずかでも天然水に０．０００１体積％〜０．４体積％（０．０００１体積％及び０.０１体積％以上を除く）添加した飲料水を、生体内に摂取させることで、天然水だけを摂取するのに比べて、生体内の活性酸素やフリーラジカルが重水素成分により還元されて打ち消されるものと考えられ、健康が維持される。
さらに、重水素（Ｄ2）は、通常の水素（Ｈ2）と化学的性質は基本的に同等であるが、質量が２倍程度あり、やや反応速度が遅くなる「重水素効果」を有する。例えば医薬を服用している患者であれば、この重水素効果によって、代謝反応の速度が低下するので、代謝を防止して体内での医薬の効能を持続させることができ、医薬の投与量を減らすことが可能となる。
【００１１】
すなわち、医薬は体内に取り入れられると代謝を受け、不活性な化合物や体外に排泄されやすい形に変換されて効果を失うことが多い。そこで、代謝を受ける位置に水素原子をハロゲンやメチル基等に置き換え、代謝を防ぐ手法が良く用いられてきた。しかし、こうした変換により、肝心の生理活性や水溶性が落ちてしまうケースも少なくない。
そこで、代謝を受ける水素原子を、重水素に置き換えることで、重水素は分子全体の性質にほとんど影響を与えず、代謝反応の速度だけを低下させることができる。
【００１２】
従って、代謝を防いで、体内での持続時間を改善することができる。
なお、重水素成分が０．０００１体積％より少なければあまり効果がなく、０．４体積％（０．０００１体積％及び０.０１体積％以上を除く）よりも多ければ、重水素成分による良好な効果があまり向上せず、過剰になると人体に悪影響を与える場合がある。
【００１３】
また、上記特徴構成によれば、重水素成分として使用する重水（Ｄ2Ｏ）は、一般的に天然の水中に存在し、その天然水の電気分解等により水中に含まれる重水が濃縮されて高濃度の重水が得られる。そのために、天然水に任意の添加量の重水素成分を、容易に供給できる。また、発明者の試験によれば、重水素成分を添加することで、水分子間の酸素原子間距離が小さくなることが分かった。すなわち、重水素成分によって水分子の集まり（クラスター）が小さくなるので、体内でより細部まで行き渡り、効率よく浸透させることができるものと考えられる。
【発明の効果】
【００１４】
上記本発明に係る飲料水の特徴によれば、天然水から濃縮、分離して得た重水素成分を用いて、体内の活性酸素等を還元させて健康を維持し、摂取した医薬の効能を持続させることが可能となった。
本発明の他の目的、構成及び効果については、以下の発明の実施の形態の項から明らかになるであろう。
【図面の簡単な説明】
【００１５】
【図１】実験前の食道内の画像である。
【図２】実験後の食道内の画像である。
【発明を実施するための形態】
【００１６】
次に、適宜添付図面を参照しながら、本発明の実施形態について説明する。
〔第１実施形態〕
本発明の第１実施形態に係る飲料水は、天然水から濃縮、分離して得た重水素成分として重水（Ｄ2Ｏ）及び重水素硫酸（Ｄ2ＳＯ4）を含有したものである。
重水（Ｄ2Ｏ）は、０体積％〜０．４体積％含有し、重水素硫酸（Ｄ2ＳＯ4）を０体積％〜０．４体積％含有し、これら化合物全体で０．０００１体積％〜０．４体積％を、天然水に添加して含有させたものである。
【００１７】
〔第２実施形態〕
次に、第２の実施形態に係る飲料水について説明する。
本実施形態に係る飲料水は、天然水から濃縮、分離して得た重水素成分として重水素硫酸（Ｄ2ＳＯ4）を、天然水に０．０００１体積％〜０．４体積％含有した飲料水である。
【００１８】
〔第３実施形態〕
次に、第３の実施形態に係る飲料水について説明する。
本実施形態に係る飲料水は、天然水から濃縮、分離して得た重水素成分として重水（Ｄ2Ｏ）を、天然水に０．０００１体積％〜０．４体積％含有した飲料水である。
【００１９】
ここで、第１実施形態の飲料水を用いて本発明に係る飲料水の効果を確認するための実験例を複数の実験対象者（Ａ〜Ｆ）について行った。
尚、実験対象者（Ａ〜Ｆ）の測定値には個人差があり、また、実験時の体調などによっても異なるが、経過を確認することで、本発明に係る飲料水の効果を確認するものである。
【００２０】
［実験例１］（実験対象者Ａ）
本実験例では、
１）  実験対象者Ａの持つ疾患は、「多発性骨髄腫」である。
２）  実験条件として、服薬時に水道水のみを５００ｃｃ/日、飲用した比較例に対し、本発明の飲料水を５００ｃｃ/日、飲用した実験例を比較した。
３）  実験結果：（検査項目としてＣＲＴＮ（クレアチニン）の数値を示す。）
比較例（２００８年９月１日測定）は、６．６４ｍｇ/ｄｌ（正常範囲は０．４〜０．８ｍｇ/ｄｌ）であったのに対し、実験例（２００９年１月１４日測定）は、０．５８ｍｇ/ｄｌ（正常値は０．４〜０．８ｍｇ/ｄｌ）であり、正常値になっていることが分かる。
【００２１】
[実験例２]（実験対象者Ｂ）
本実験例では、
１）  実験対象者Ｂの持つ疾患は、「肺線癌」である。
２）  実験条件として、服薬時に水道水のみを５００ｃｃ/日、飲用した比較例に対し、本発明の飲用水を５００ｃｃ/日、飲用した実験例を比較した。
３）  実験結果：（比較する検査項目としてＡＭＹ（アミラーゼ）とＬＹ(リンパ球)％の数値を示す。）
比較例（平成２３年１２月１２日測定）は、ＡＭＹが３０６ｕ／ｌ（正常値は３７〜１２５），ＬＹ％が７０．３（正常値１８〜５９）であるのに対し、実験例（平成２４年２月８日測定）は、ＡＭＹが１４５ｕ／ｌ（正常値は３７〜１２５）、ＬＹ％が４１．４（正常値１８〜５９）で、ほぼ正常値になっていることが分かる。
【００２２】
[実験例３]（実験対象者Ｃ）
本実験例では、
１）  実験対象者Ｃの持つ疾患は、「肺癌」である。
２）  実験条件１として、服薬時に水道水のみを５００ｃｃ/日、飲用した比較例に対し、本発明の飲用水を５００ｃｃ/日、飲用した実験例を比較した。
３）  実験結果：（比較する検査項目としてＬＤ（乳酸脱水素酵素）（ｕ／ｌ）の数値を示す。）
比較例（２０１１年１２月１４日測定）は、ＬＤが３８７ｕ／ｌ（正常値１１９〜２２９ｕ／８）であるのに対し、実験例１（２０１２年１月２６日測定）は、ＬＤが２８２ｕ／ｌ（正常値１１９〜２２９ｕ／８）で、実験例２（２０１２年２月８日測定）は、ＬＤが２４６ｕ／ｌ（正常値１１９〜２２９ｕ／８）で、ほぼ正常値に近くなっている。
４）  実験条件２として、一般のミネラル水を８０ｃｃ×３回/日、２日間飲用した比較例に対し、本発明の飲用水を、８０ｃｃ×３回/日、２日間飲用した実験例とにおいて、排尿量を比較した。
５）  実験結果：（比較する排尿量は、ｃｃ/３回採取/日の数値を示す。）
比較例は、９０ｃｃ３回採取/日であるのに対し、実験例は、１２０ｃｃ/３回採取/日であり、排尿量が増加していることが明確である。
【００２３】
[実験例４]（実験対象者Ｄ）
本実験例では、
１）  実験対象者の持つ疾患は、「進行型食道癌」、「食道裂孔ヘルニア」、「胃潰瘍」である。
２）  医者の診断報告（実験前）→食道性状：門歯より３７〜４０ｃｍにかけて６時方向に１／３周性の隆起性病変あり。表面の粘膜は粗造でｓｃｏｐｅの接触により容易に出血を認めた。ＧＩＦ-Ｈ２６０で通過は可能であった。ヨード染色では病変と平坦面１時方向まで不染領域を認めた。→質的診断：進行型食道癌。
胃性状：胃前庭部にびらんが散在している。→質的診断：慢性胃炎（びらん性胃炎）。
３）  実験条件１として、服薬時に水道水のみを５００ｃｃ/日、飲用した比較例に対し、本発明の飲用水を５００ｃｃ/日、飲用した実験例を比較した。
４）  実験結果：（食道内の内視鏡画像により比較した。）
比較例の画像１（図１）は、内面の凹凸が大きい。
実験例の画像２（図２）は、内面が滑らかな面に回復していることが明確である。
５）  医者の診断報告（実験後）→食道性状：門歯より３４ｃｍ８時方向にＣＲＴ後瘢痕を認める。通常及びＮＢＩ観察では腫瘍はほぼ消失していた。→質的診断：食道瘢痕。
胃性状：穹隆部に発赤の散在を認める。→質的診断：慢性胃炎（表面性胃炎）。
【００２４】
[実験例５]（実験対象者Ｅ）
本実験例では、
１）  実験対象者Ｅの持つ疾患は、「肺癌」である。
２）  実験条件１として、服薬時に水道水のみを５００ｃｃ/日、飲用した比較  例に対し、本発明の飲用水を５００ｃｃ/日、飲用した実験例を比較した。
３）  実験結果：（検査項目としてＣＲＰ（Ｃ反応性蛋白）ｍｇ/ｄＬの数値を示す。）
比較例（２０１２．９月１２日測定）は、ＣＲＰが５（正常値は０．００〜０．３０）であるのに対して、本実験例（２０１２．１０月１２日測定）は、ＣＲＰが１．０３（正常値は０．００〜０．３０）で、正常値に近づきつつある。
【００２５】
［実験例６］(実験対象者Ｆ)
本実験では、
１）  実験対象者Ｆの持つ疾患は、「糖尿」である。
２）  実験条件として、服薬時に水道水のみを５００ｃｃ/日、飲用した比較例に対し、本発明の飲用水を５００ｃｃ/日、飲用した実験例を比較した。
３）  実験結果：（検査項目としてＨｂＡＩｃ  ＮＧＳＰ（糖化ヘモグロビン）の数値を示す。）
比較例（２０１２．９月１２日測定）は、９％であるのに対し、実験例１（２０１３．７月１８日測定）は、６．９％（正常値４６〜６．２％）で、実験例２（２０１４．１月１６日測定）は、７％（正常値４６〜６．２％）で減少傾向にある。